(57)【要約】【課題】  様々な通電実験が行えると共に、通電実験に適した器具を提供することを目的とする。【解決手段】  通電実験器具は、本体５９と剣玉モジュール５７とから形成される。第１接触端子２９と第２接触端子３０は、本体５９に内蔵される電池及び電灯１４と被覆電線２０ａ及び２０ｂでのみ接続されているので、本体５９から脱着自在である。これによって、通電実験器具は、第１接触端子２９及び第２接触端子３０の銅線２５ａ及び２５ｂを直接又は物体を介して接触させて電灯１４を点灯させるテスターと、第１接触端子２９及び第２接触端子３０を本体に形成されるスイッチ台座に係合させて形成される懐中電灯と、剣玉モジュール５７を本体５９に装着させて、第１接触端子２９及び第２接触端子３０を剣玉モジュール５７の内部構造に接続させて形成される電子剣玉との３通りの通電実験が行える。【選択図】      図７
2008191431.tif 000002
【特許請求の範囲】
【請求項１】
通電実験器具であって、
その内部に電池が収納される本体と、
前記電池の一方電極に電線を介してその一方端子が接続された電灯と、
前記電灯の他方端子に電線を介して接続された第１接触端子と、
前記電池の他方電極に電線を介して接続された第２接触端子とを備え、
前記第１接触端子と前記第２１接触端子とを導通させると前記電灯が点灯するテスターとして使用できると共に、前記第１接触端子及び前記第２１接触端子は、前記本体に脱着自在に取付けられ、前記電灯を点灯又は消灯させるスイッチを構成する、通電実験器具。
【請求項２】
前記電線の各々は、銅線と前記銅線を被覆するビニールとからなる被覆電線により構成され、
前記第１接触端子及び前記第２接触端子の各々は、絶縁体よりなるベース体と、前記被覆電線の先端部において前記ビニールを除去して露出され、前記ベース体の外面に巻き付けられた銅線とを含む、請求項１記載の通電実験器具。
【請求項３】
前記本体は、下カバーと上カバーの分割構造で構成され、前記下カバーには前記電池と前記電灯とが収納され、前記上カバーには前記第１接触端子と前記第２接触端子とを嵌合することができるスイッチ台座が取付けられた、請求項１又は請求項２記載の通電実験器具。
【請求項４】
前記電灯は前記本体の端部に取り付けられ、
前記電灯を覆うように前記本体に脱着自在に装着される電灯カバーと、
前記電灯カバーに脱着自在に取付けられ、剣先と受台とを有する剣玉モジュールと、
前記剣先又は前記受台に嵌合できる剣玉とを更に備え、
前記剣玉モジュールは、前記第１接触端子及び前記第２接触端子の各々に接触すると共に、前記剣玉が前記剣先又は前記受台のいずれかに嵌合すると、前記電灯を点灯させる通電機構を含む、請求項１から請求項３のいずれかに記載の通電実験器具。
【請求項５】
前記通電機構は、前記剣玉モジュールの中に配置され、前記剣玉が前記剣先又は前記受台のいずれかに嵌合した場合にのみ互いに接して導通状態となる、一対の可動接点金具を含み、
前記第１接触端子及び前記第２接触端子の各々は、前記本体の前記端部の側に脱着自在に取付けられ、前記剣玉モジュールが前記電灯カバーに取付けられたとき、前記可動接点金具の各々に接する、請求項４記載の通電実験器具。
【発明の詳細な説明】
【技術分野】
【０００１】
この発明は通電実験器具に関し、特に小学生の理科の実験等で使用する通電実験器具に関するものである。
【背景技術】
【０００２】
図１２は特許文献１に記載されている従来の電子剣玉の概略構造を示した断面図である。
【０００３】
図を参照して、この電子剣玉は、本体の上部に位置する剣先８９と、本体の側面に位置する受台９０ａ及び９０ｂと、本体から連結紐８６で繋がれた剣玉８７とから構成されている。剣玉８７の剣孔８８が剣先８９に嵌合したとき、又は、剣玉８７が受台９０ａ及び９０ｂのいずれかに嵌合したとき、ランプ表示器７０が点灯する仕組みとなっている。
【０００４】
ここで、本体の内部構造は、電池７１とランプ表示器７０と可動接点金具８０と固定接点金具８２とが、電気回路７２で繋がって構成されている。可動接点金具８０は、剣先８９の内部に固定される取付接片部７８と、取付接片部７８の上端から下方に屈曲され同接片先端部８１ａが可動浮皿８５ａの足杆７５ａの内端に当接する片側可動接片部７９ａと、取付接片部７８の下端から他側方に屈曲され、同接片先端部８１ｂが可動浮皿８５ｂの足杆７５ｂの内端に当接する片側可動接片部７９ｂとから構成される。又、固定接点金具８２は受台９０ａ及び９０ｂの内部下方側に屈曲して設けられ、可動接点金具８０の同接片先端部８１ａ及び８１ｂとの間に所定の接離間隔を両端にもつ両端接点部８３ａ及び８３ｂを有する。
【０００５】
これによって、剣玉８７の剣孔８８が剣先８９に嵌合すると、片側可動接片部７９ａが内方側に押され、連動して同接片先端部８１ａが内方側に押され、同接片先端部８１ａと両端接点部８３ａが接触することで通電しランプ表示機７０が点灯する。又、剣玉８７が受台９０ａ及び９０ｂのいずれかに嵌合するときは、受台９０ａ及び９０ｂのいずれかの前面に位置する可動浮皿８５ａ及び８５ｂのいずれかが内方に移動し、可動浮皿８５ａ又は８５ｂに接続している同接片先端部８１ａ又は８１ｂが内方側に押される。その結果、同接片先端部８１ａ又は８１ｂと両端接点部８３ａ又は８３ｂが接触することで通電し、ランプ表示機７０が点灯する仕組みとなっている。
【特許文献１】実公平４−３２１１９号公報
【発明の開示】
【発明が解決しようとする課題】
【０００６】
上記のような従来の電子剣玉では、剣先又は受台に剣玉が嵌合することでランプ表示器が点灯する構造となっているが、全体は一体構造となっているため剣玉としてしか使用することができない。更に、電子剣玉の内部構造が目視できないので、通電実験装置としては適していない。
【０００７】
この発明は、上記のような課題を解決するためになされたもので、様々な通電実験が行えると共に、通電実験に適した器具を提供することを目的とする。
【課題を解決するための手段】
【０００８】
上記の目的を達成するために、請求項１記載の発明は、通電実験器具であって、その内部に電池が収納される本体と、電池の一方電極に電線を介してその一方端子が接続された電灯と、電灯の他方端子に電線を介して接続された第１接触端子と、電池の他方電極に電線を介して接続された第２接触端子とを備え、第１接触端子と第２１接触端子とを導通させると電灯が点灯するテスターとして使用できると共に、第１接触端子及び第２１接触端子は、本体に脱着自在に取付けられ、電灯を点灯又は消灯させるスイッチを構成するものである。
【０００９】
このように構成すると、二つの使用状態での通電が確認できる。
【００１０】
請求項２記載の発明は、請求項１記載の発明の構成において、電線の各々は、銅線と銅線を被覆するビニールとからなる被覆電線により構成され、第１接触端子及び第２接触端子の各々は、絶縁体よりなるベース体と、被覆電線の先端部においてビニールを除去して露出され、ベース体の外面に巻き付けられた銅線とを含むものである。
【００１１】
このように構成すると、第１接触端子の銅線と第２接触端子の銅線とが接触すると導通する。
【００１２】
請求項３記載の発明は、請求項１又は請求項２記載の発明の構成において、本体は、下カバーと上カバーの分割構造で構成され、下カバーには電池と電灯とが収納され、上カバーには第１接触端子と前第２接触端子とを嵌合することができるスイッチ台座が取付けられたものである。
【００１３】
このように構成すると、上カバーと下カバーに分割した状態で通電実験が行える。
【００１４】
請求項４記載の発明は、請求項１から請求項３のいずれかに記載の発明の構成において、電灯は本体の端部に取り付けられ、電灯を覆うように本体に脱着自在に装着される電灯カバーと、電灯カバーに脱着自在に取付けられ、剣先と受台とを有する剣玉モジュールと、剣先又は受台に嵌合できる剣玉とを更に備え、剣玉モジュールは、第１接触端子及び第２接触端子の各々に接触すると共に、剣玉が剣先又は受台のいずれかに嵌合すると、電灯を点灯させる通電機構を含むものである。
【００１５】
このように構成すると、脱着自在の剣玉モジュールに剣玉が嵌合すると電灯が点灯する。
【００１６】
請求項５記載の発明は、請求項４記載の発明の構成において、通電機構は、剣玉モジュールの中に配置され、剣玉が剣先又は受台のいずれかに嵌合した場合にのみ互いに接して導通状態となる、一対の可動接点金具を含み、第１接触端子及び第２接触端子の各々は、本体の端部の側に脱着自在に取付けられ、剣玉モジュールが電灯カバーに取付けられたとき、可動接点金具の各々に接するものである。
【００１７】
このように構成すると、剣玉が剣先又は受台に嵌合すると、第１接触端子、一対の可動接点金具及び第２接触端子が通電状態となる。
【発明の効果】
【００１８】
以上説明したように、請求項１記載の発明は、二つの使用状態での通電が確認できるので、効率的な通電実験が可能となる。
【００１９】
請求項２記載の発明は、請求項１記載の発明の効果に加えて、第１接触端子の銅線と第２接触端子の銅線とが接触すると導通するので、第１接触端子及び第２接触端子が簡易な構造となる。
【００２０】
請求項３記載の発明は、請求項１又は請求項２記載の発明の効果に加えて、上カバーと下カバーに分割した状態で通電実験が行えるので、配線を確認できるのと同時に、通電実験を効率的に行える。
【００２１】
請求項４記載の発明は、請求項１から請求項３のいずれかに記載の発明の効果に加えて、脱着自在の剣玉モジュールに剣玉が嵌合すると電灯が点灯するので、電子剣玉としても使用することができる。
【００２２】
請求項５記載の発明は、請求項４記載の発明の効果に加えて、剣玉が剣先又は受台に嵌合すると、第１接触端子、一対の可動接点金具及び前記第２接触端子が通電状態となるので、複雑な機構を必要とすることなく、剣玉のを剣先又は受台に嵌合することによって電灯を確実に点灯することが可能となる。
【発明を実施するための最良の形態】
【００２３】
図１はこの発明の第１の実施の形態による通電実験器具の本体と本体に取付けた電灯カバーとの外観形状を示した斜視図であり、図２は図１で示した本体から電灯カバーを取外し、さらに上カバーと下カバーに分割したときの斜視図である。
【００２４】
これらの図を参照して、通電実験器具の本体５９は、合成樹脂の射出成形によって形成された上カバー５１と下カバー５２とからなり、これに透明の電灯カバー１７とを装着して構成される。
【００２５】
下カバー５２の外部下方側には、使用時に手で掴むことができるグリップ５４ｂが形成される。更に、電池５０は下カバー５２の内部下方側に収納される。電灯１４は、電池５０の前方に収納され、被覆電線２０ｃを介して電池５０の陽極４６にその一方端子が接続される。第１接触端子２９は、電池５０の陰極４７に被覆電線２０ａを介して接続される。第２接触端子３０は、被覆電線２０ｂを介して電灯１４の他方端子に接続される。尚、第１接触端子２９及び第２接触端子３０の各々は、下カバー５２と被覆電線２０ａ及び２０ｂを介して電池５０及び電灯１４に接続されているだけなので、下カバー５２から離れて自在に移動可能である。
【００２６】
被覆電線２０ａ、２０ｂ及び２０ｃは銅線にビニールを被覆して形成されている。第１接触端子２９は、被覆電線２０ａの端部におけるビニールを除去して露出された銅線２５ａと、正面視矩形形状の非導電性の弾性部材で構成され、銅線２５ａを巻きつける部分を構成するベース体２７ａとから構成される。ベース体２７ａは、第１接触端子２９を使用するときに掴むことができ、ベース体２９ａの一方端部に形成される操作部２６ａと、操作部２６ａ側に正面視円形状で形成され、銅線２５ａを巻きつける際に使用する開口２３ａと、後述する上カバー５１に形成されるスイッチプレート３９に第１接触端子２９を嵌合するときに支点となり、ベース体の他方端部に形成されるヒンジ型固定部２４ａとを含む。尚、スイッチプレート３９に第１接触端子２９と第２接触端子３０を嵌合するときの方法は後述する。
【００２７】
ここで、ベース体２７ａに銅線２５ａを巻きつけるときには、被覆電線２０ａの先端のビニールを除去して露出した銅線２５ａのみを開口２３ａに通しベース体２７ａに巻きつける。これによって、第１接触端子２９は銅線２５ａを導体に接触させれば被覆電線２０ａを介して通電する簡易なテスターの一部となる。尚、第２接触端子３０の構造は、第１接触端子２９と同様であるので、ここでの説明は繰り返さない。これによって、第１接触端子２９及び第２接触端子３０は、テスターとしての一対の端子となる。
【００２８】
通電実験は、第１接触端子２９の操作部２６ａと第２接触端子３０の操作部２６ｂを手で掴み、銅線２５ａと銅線２５ｂとを接触させることで、導通して電灯１４が点灯し、銅線２５ａ及び２５ｂを離すと電灯１４は消灯する。これによって、配線を目視しながら通電実験が行えるので、効果的である。更に、第１接触端子２９と第２接触端子３０が簡易な構造で形成されるので仕組みが分かりやすい。又、テストしたい物体に第１接触端子２９及び第２接触端子３０を同時に接触させることによって、その物体が導体か否かを判定することが可能となる。
【００２９】
一方、上カバー５１は、下カバー５２に脱着自在に嵌合できるように構成され、外部下方側に形成され使用時に手で掴むことができるグリップ５４ａと、外部前方側に形成されるスイッチ台座３７及びスイッチプレート３９とから構成される。スイッチプレート３９は正面視半円形形状で形成され、その両端はスイッチ台座３７の後縁に接続されている。更に、スイッチ台座３７とスイッチプレート３９は、第１接触端子２９及び第２接触端子３０を脱着自在に嵌合することができる嵌合部３３ａ及び３３ｂを有する構造となっている。この嵌合方法は後述する。
【００３０】
図３は図２に対応した図であって、上カバーに形成されたスイッチ台座に第１接触端子及び第２接触端子を嵌合させた状態の斜視図であり、図４は図３の状態から第１接触端子を第２接触端子に接触させて通電実験したときの斜視図である。
【００３１】
これらの図を参照して、下カバー５２から被覆電線２０ａ及び２０ｂを介して接続している第１接触端子２９及び第２接触端子３０を、上カバー５１のスイッチプレート３９の部分に嵌合させて、切り替えスイッチを構成することができる。図２に示したように第１接触端子２９及び第２接触端子３０の各々を嵌合することのできる嵌込部３３ａ及び３３ｂは、第１接触端子２９と第２接触端子３０を嵌合したとき、正面視十字形状になるように上カバー５１上に形成されている。嵌合させる際には、まず第２接触端子３０を上カバー５１の“１”の表示のある嵌込部３３ａに対し垂直に立て、その状態のままヒンジ型固定部２４ｂを嵌込部３３ａに挿入し、ヒンジ型固定部２４ｂを支点にスイッチ台座３７の上に水平に倒し支持部３５ａ及び３５ｂによって固定する。
【００３２】
次に、第１接触端子２９を第２接触端子３０と同様に、“２”の表示のある嵌込部３３ｂに対し垂直に立て、その状態のままヒンジ型固定部２４ａを挿入し、ヒンジ型固定部２４ａを支点にして取付ける。この状態が図３に示されている。第１接触端子２９は第２接触端子３０とは接触していないため、スイッチとしてはＯＦＦの状態である。
【００３３】
この状態からスイッチをＯＮにしようとすると、図３の状態から、第１接触端子２９を第２接触端子３０に重なるように倒せば良い。第１接触端子２９を完全に倒すと、その操作部２６ａがスイッチプレート３９に係合しその状態で保持される。この状態が図４に示されている。これによって、第１接触端子２９の銅線２５ａと第２接触端子３０の銅線２５ｂが接触した状態が維持され、スイッチとしてはＯＮの状態となり、配線２０を介して導通し、電灯１４が点灯する。
【００３４】
スイッチをＯＦＦにするには、図４の状態からスイッチプレート３９を下方に押せばよい。すると、第１接触端子２９の弾性により、その操作部２６ａがスイッチプレート３９から外れ、スイッチはＯＦＦとなり電灯１４が消える。このように、簡易なスイッチの構造を容易に構成することができるので、効果的な構造となる。更に、配線を確認しながら通電実験が行えるので、効率的である。
【００３５】
図５は図１で示した状態から本体のスイッチ台座に第１接触端子及び第２接触端子を嵌合させたときの斜視図であり、図６は図５の状態から第１接触端子を第２接触端子に接触させて通電状態としたときの斜視図である。
【００３６】
これらの図を参照して、本体５９は、本体５９のスイッチ台座３７（図示せず）に第１接触端子２９と第２接触端子３０とを嵌合させている状態である。このように構成することで、懐中電灯として使用できる。第１接触端子２９と第２接触端子３０をスイッチ台座３７に嵌合させて形成するスイッチ構造は、先の図３及び図４において説明したので、ここでの説明は繰り返さない。
懐中電灯として使用する場合、第１接触端子２９の操作部２６ａを押してスイッチプレート３９に係合させると、第１接触端子２９の銅線２５ａと第２接触端子３０の銅線２５ｂが接触してこれらが導通する。そして、電灯カバー１７内に配置されている電灯（図示せず）は点灯するので、懐中電灯として使用することができる。この状態が図６に示されている。
【００３７】
次に、この状態からスイッチプレート３９を本体５９側に押すと、第１接触端子２９の係合が外れその弾性によって図５に示す状態に変化する。すると、第１接触端子２９の銅線２５ａと第２接触端子３０の銅線２５ｂとは接触しなくなり、電灯（図示せず）は消灯する。
【００３８】
又、図１でも若干説明したが、第１接触端子２９と第２接触端子３０をスイッチプレート３９に嵌合させずに個々に取り出し、第１接触端子２９の銅線２５ａと第２接触端子３０の銅線２５ｂを接触させても電灯１４は点灯する。そのため、本体５９を上カバーと下カバーとに分割しないでそのままテスター装置として使用することもできる。
【００３９】
図７は図１で示した本体に剣玉モジュールを装着して構成される電子剣玉として使用するときの分解斜視図である。
【００４０】
図を参照して、本体５９の上方側には、上述のように電灯１４が設置されており、電灯１４の両脇には一対の係合部１５ａ及び１５ｂが形成され、更に、電灯１４の前方には横Ｕ字形状の係合部２１が形成されている。電灯カバー１７は係合部１５ａ及び１５ｂと係合部２１とに切欠部１８等によって脱着自在に嵌合することができる。剣玉１は合成樹脂の射出成形で形成され、本体５９の後方で連絡紐３を介して連結されている。更に、電灯カバー１７の上部に装着される剣玉モジュール５７の外面部分は、合成樹脂の射出成形で形成される。
【００４１】
剣玉モジュール５７は、胴部４１を中心に構成され、胴部４１の上部に一体的に接続され、剣玉１の剣孔（図示せず）を嵌合させるための、中央の上方側に形成された剣先５と、胴部４１両端に一体的に接続され、剣玉１の外表面の一部を嵌合させるための、受台４ａ及び４ｂとから構成される。更に、胴部４１の下方側には、電灯カバー１７の形状に合わせて装着できる嵌込部４２が形成されている。これによって、剣玉モジュール５７の嵌込部４２を電灯カバー１７の上部に被せるようにして装着することができる。このとき、剣玉モジュール５７を本体５９に装着した状態で、電灯１４の点灯が電灯カバー１７を介して目視できるように構成されている。
【００４２】
更に、剣玉モジュール５７の両脇に形成される受台４ａ及び４ｂの各々下方側には、嵌込部４３a及び４３bが形成されている。これらは、剣玉モジュール５７と本体５９とを強固に接合させるためと、後述する剣玉モジュール５７内の通電機構と本体５９とを電気的に接続させるために設けられている。
【００４３】
剣玉モジュール５７を本体５９に装着する際には、本体５９に取付けられた電灯カバー１７の上に剣玉モジュール５７をセットする。次に、第１接触端子２９を本体５９の側面に位置する嵌込部４３ａ対し垂直方向に立て、その状態のままヒンジ型固定部２４aを嵌込部４３ａに挿入する。更に、挿入したヒンジ型固定部２４ａを支点に本体５９の側面に沿うように第１接触端子２９を回転させる。そして、第１接触端子２９の操作部２６ａを本体５９の側面に形成されている係合部３１ａに係合させる。
【００４４】
同様に、第２接触端子３０も同様にして、嵌込部４３ｂ及び本体５９の反対側の側面上部の係合部３１ｂ（図示せず）にその両端を固定する。これによって、剣玉モジュール５７は電灯カバー１７を介して本体５９に固定され、不用意に本体５９から脱落する虞はない。尚、剣玉モジュール５７内の通電機構については後述する。
【００４５】
図８は図７の状態から本体、電灯カバー及び剣玉モジュールを一体とした状態のＶＩＩＩ−ＶＩＩＩラインの断面図である。
【００４６】
図を参照して、剣玉モジュール５７内の通電機構は、向かい合う一対の折り曲げられた細長い可動接点金具１２ａ及び１２ｂで構成される。具体的には、可動接点金具１２ａは導体よりなり、下方端部側に位置して水平方向に延びる固定接点部６ａと、固定接点部６ａに繋がり、上方に延びる外方可動接片部１１ａと、外方可動接片部１１ａに繋がり、内方側の上方に延びる外方可動接点部９ａと、外方可動接点部９ａに繋がり、下方に延びる内方可動接点部８ａと、内方可動接点部８ａに繋がり、外方側の下方に延びる内方可動接片部１０ａとから構成されている。尚、可動接点金具１２ａの両端は剣玉モジュール５７において支点７ａ等によって固定されている。
【００４７】
ここで、可動接点金具１２ａの固定接点部６ａは、剣玉モジュール５７の装着時に本体５９の側面上方に取り付けられた第１接触端子２９の銅線２５ａが接触するように配置されている。又、外方可動接片部１１ａは、受台４ａの内方側を通過し、剣玉（図示せず）が受台４ａに嵌合したときに剣玉に接触して変形するように配置されている。更に、外方可動接点部９ａは、剣先５の下方を通過し、剣玉が剣先５に嵌合したときに剣玉に接触して変形するように配置されている。
【００４８】
一方、可動接点金具１２ｂは可動接点金具１２ａに対して反対対称に形成され、同様に剣玉モジュール５７内に取付けられている。図示されているように内方可動接点部８ａ及び８ｂは向かい合って形成され、所定間隔をあけて各々剣先５の下方側に設置されており、上述のようにそれぞれ変形自在に剣玉モジュール５７内に取付けられている。剣玉が受台４ａ又は４ｂ、又は剣先５に嵌合しない図の状態にあっては、可動接点金具１２ａ及び可動接点金具１２ｂが接触しない状態であるため、これらに接続されている第１接触端子２９及び第２接触端子３０は導通状態にならず、電灯１４は点灯することはない。
【００４９】
図９は図７で示した電子剣玉の剣玉が剣先に嵌合したときの外観形状を示した斜視図であり、図１０は図９で示したＸ−Ｘラインの断面図である。
【００５０】
これらの図を参照して、剣玉１の剣孔２が剣先５に嵌合すると、剣孔２の縁が可動接点金具１２ａ及び１２ｂの外方可動接点部９ａ及び９ｂに接触する。その結果、可動接点金具１２ａ及び１２ｂは、外方可動接点部９ａ及び９ｂが下方側に移動すると共に、外方可動接片部１１ａ及び１１ｂも下方に移動し、内方可動接点部８ａが内方可動接点部８ｂに接触するように変形する。これによって、剣玉モジュール５７内では、第２接触端子３０の銅線２５ｂに接触している可動接点金具１２ｂと、第１接触端子２９の銅線２５ａに接触している可動接点金具１２ａとが電気的に接触することになる。その結果、電灯１４が点灯するのが電灯カバー１７を介して確認できる。
【００５１】
剣玉１の剣先５への嵌合状態がなくなると、可動接点金具１２ａ及び可動接点金具１２ｂの各々は図８で示したような状態にその弾性によって復帰し、電灯１４は消灯する。
【００５２】
このように、複雑な機構を必要とすることなく本体構造に剣玉モジュール５７を取り付けるだけで、剣玉１の嵌合状態の有無によって電灯１４が点灯したり、消灯したりするため興味の高い通電実験器具となる。
【００５３】
図１１は図１０に対応した図であって、受台に剣玉が嵌合したときの電子剣玉の断面図である。
【００５４】
図を参照して、剣玉１が受台４ａに嵌合すると、剣玉１の一部が可動接点金具１２ａの外方可動接片部１１ａに接触する。その結果、可動接点金具１２ａは、外方可動接片部１１ａに接触することで、外方可動接点部９ａが内方側に移動すると共に、内方可動接片部１０ａが内方側に移動し、内方可動接点部８ａが内方可動接点部８ｂに接触するように変形する。これによって、剣玉モジュール５７内では、第２接触端子３０の銅線２５ｂに接触する可動接点金具１２ｂと、第１接触端子２９の銅線２５ａに接触する可動接点金具１２ａとが電気的に接触することになる。その結果、電灯１４が点灯するのが電灯カバー１７を介して確認できる。
【００５５】
剣玉１の受台４ａへの嵌合状態がなくなると、可動接点金具１２ａ及び可動接点金具１２ｂの各々は図８で示したような状態にその弾性によって復帰し、電灯１４は消灯する。
【００５６】
一方、剣玉１が受台４ｂへ嵌合した場合には、可動接点金具１２ｂが上述の可動接点金具１２ａと同様に変形し、同様に電灯１４が点灯する。
【００５７】
尚、上記の第１の実施の形態では、剣玉モジュールを備えているが、剣玉モジュールは必ずしもなくても良い。
【００５８】
又、上記の第１の実施の形態では、被覆電線が銅線と被覆ビニールとで構成されているが、内部構造が導電性素材で、被覆材が非導電性素材であれば他の材料でも良い。
【００５９】
更に、上記の第１の実施の形態では、本体が上カバーと下カバーとで分割できるように構成されているが、分割構造でなく一体構造であっても良い。
【００６０】
更に、上記の第１の実施の形態では、接触端子やスイッチを構成するためのスイッチ台座等の形状が特定形状を有しているが、同様の機能を有するものであれば他の形状であっても良い。
【００６１】
更に、上記の第１の実施の形態では、本体の電灯を覆うための電灯カバーが装着できるように構成されているが、電灯カバーはなくても良い。
【００６２】
更に、上記の第１の実施の形態では、剣玉モジュール内の通電機構は左右対称の特定形状に構成されているが、剣玉が剣先又は受台に嵌合するとスイッチが入るような構造であれば、左右対称でなくても良く、あるいは他の形状であっても良い。
【図面の簡単な説明】
【００６３】
【図１】この発明の第１の実施の形態による通電実験器具の本体と本体に取付けた電灯カバーとの外観形状を示した斜視図である。
【図２】図１で示した本体から電灯カバーを取外し、さらに上カバーと下カバーに分割したときの斜視図である。
【図３】図２に対応した図であって、上カバーに形成されたスイッチ台座に第１接触端子及び第２接触端子を嵌合した状態を示した斜視図である。
【図４】図３の状態から第１接触端子を第２接触端子に接触させた状態を示した斜視図である。
【図５】図１で示した本体のスイッチ台座に第１接触端子及び第２接触端子を嵌合させたときの斜視図である。
【図６】図５の状態から第１接触端子を第２接触端子に接触させた状態を示した斜視図である。
【図７】図１で示した本体に剣玉モジュールを装着して電子剣玉として使用する場合の分解斜視図である。
【図８】図７の状態から本体、電灯カバー及び剣玉モジュールを一体とした状態のＶＩＩＩ−ＶＩＩＩラインの断面図である。
【図９】図７において、剣玉が剣先に嵌合したときの外観形状を示した斜視図である。
【図１０】図９で示したＸ−Ｘラインの断面図である。
【図１１】図１０に対応した図であって、受台に剣玉が嵌合したときの電子剣玉の断面図である。
【図１２】従来の電子剣玉の概略構造を示した断面図である。
【符号の説明】
【００６４】
１…剣玉
４…受台
５…剣先
１２…可動接点金具
１４…電灯
１７…電灯カバー
２０…被覆電線
２５…銅線
２７…ベース体
２９…第１接触端子
３０…第２接触端子
３７…スイッチ台座
５０…電池
５１…上カバー
５２…下カバー
５７…剣玉モジュール
５９…本体
尚、各図中の同一符号は同一又は相当部分を示す。
【図１】
2008191431.tif 000003
【図２】
2008191431.tif 000004
【図３】
2008191431.tif 000005
【図４】
2008191431.tif 000006
【図５】
2008191431.tif 000007
【図６】
2008191431.tif 000008
【図７】
2008191431.tif 000009
【図８】
2008191431.tif 000010
【図９】
2008191431.tif 000011
【図１０】
2008191431.tif 000012
【図１１】
2008191431.tif 000013
【図１２】
2008191431.tif 000014
【手続補正書】
【提出日】平成19年3月16日(2007.3.16)
【手続補正１】
【補正対象書類名】明細書
【補正対象項目名】０００８
【補正方法】変更
【補正の内容】
【０００８】
上記の目的を達成するために、請求項１記載の発明は、通電実験器具であって、その内部に電池が収納される本体と、電池の一方電極に電線を介してその一方端子が接続された電灯と、電灯の他方端子に電線を介して接続された第１接触端子と、電池の他方電極に電線を介して接続された第２接触端子とを備え、第１接触端子と第２接触端子とを導通させると電灯が点灯するテスターとして使用できると共に、第１接触端子及び第２接触端子は、本体に脱着自在に取付けられ、電灯を点灯又は消灯させるスイッチを構成するものである。
【手続補正２】
【補正対象書類名】特許請求の範囲
【補正対象項目名】全文
【補正方法】変更
【補正の内容】
【特許請求の範囲】
【請求項１】
通電実験器具であって、
その内部に電池が収納される本体と、
前記電池の一方電極に電線を介してその一方端子が接続された電灯と、
前記電灯の他方端子に電線を介して接続された第１接触端子と、
前記電池の他方電極に電線を介して接続された第２接触端子とを備え、
前記第１接触端子と前記第２接触端子とを導通させると前記電灯が点灯するテスターとして使用できると共に、前記第１接触端子及び前記第２接触端子は、前記本体に脱着自在に取付けられ、前記電灯を点灯又は消灯させるスイッチを構成する、通電実験器具。
【請求項２】
前記電線の各々は、銅線と前記銅線を被覆するビニールとからなる被覆電線により構成され、
前記第１接触端子及び前記第２接触端子の各々は、絶縁体よりなるベース体と、前記被覆電線の先端部において前記ビニールを除去して露出され、前記ベース体の外面に巻き付けられた銅線とを含む、請求項１記載の通電実験器具。
【請求項３】
前記本体は、下カバーと上カバーの分割構造で構成され、前記下カバーには前記電池と前記電灯とが収納され、前記上カバーには前記第１接触端子と前記第２接触端子とを嵌合することができるスイッチ台座が取付けられた、請求項１又は請求項２記載の通電実験器具。
【請求項４】
前記電灯は前記本体の端部に取り付けられ、
前記電灯を覆うように前記本体に脱着自在に装着される電灯カバーと、
前記電灯カバーに脱着自在に取付けられ、剣先と受台とを有する剣玉モジュールと、
前記剣先又は前記受台に嵌合できる剣玉とを更に備え、
前記剣玉モジュールは、前記第１接触端子及び前記第２接触端子の各々に接触すると共に、前記剣玉が前記剣先又は前記受台のいずれかに嵌合すると、前記電灯を点灯させる通電機構を含む、請求項１から請求項３のいずれかに記載の通電実験器具。
【請求項５】
前記通電機構は、前記剣玉モジュールの中に配置され、前記剣玉が前記剣先又は前記受台のいずれかに嵌合した場合にのみ互いに接して導通状態となる、一対の可動接点金具を含み、
前記第１接触端子及び前記第２接触端子の各々は、前記本体の前記端部の側に脱着自在に取付けられ、前記剣玉モジュールが前記電灯カバーに取付けられたとき、前記可動接点金具の各々に接する、請求項４記載の通電実験器具。